(57)【要約】【課題】画面周辺部で電子ビームのスポットサイズ（スポット幅）が大きくなり、陰極線管を薄型化しようとした場合に表示画像の解像度が劣化してしまう。【解決手段】陰極線管の構成として、カソードから放出された電子ビームを制御する制御電極と、この制御電極よりもビーム進行方向に設けられるとともに、制御電極を通して進行する電子ビームの左右両側に電極面が位置するように配置された一対の補正電極１０Ａ，１０Ｂとを有する電子銃６と、一対の補正電極１０Ａ，１０Ｂにアノード電圧よりも低い補正電圧を供給する電圧供給手段とを備える。【選択図】        図１
2004273290.tif 000002
【特許請求の範囲】
【請求項１】
カソードから放出された電子ビームを制御する制御電極と、
前記制御電極よりもビーム進行方向に設けられるとともに、前記制御電極を通して進行する電子ビームの左右両側に電極面が位置するように配置された補正電極と
を有することを特徴とする電子銃。
【請求項２】
前記補正電極に補正電圧を供給する電圧供給手段を備える
ことを特徴とする請求項１記載の電子銃。
【請求項３】
前記補正電極は、陰極線管本体の内部で電子ビームの偏向中心の近傍に配置される
ことを特徴とする請求項１記載の電子銃。
【請求項４】
前記制御電極は電子銃の中心軸方向に直列に配列された複数のグリッド電極からなるとともに、前記電子銃の中心軸方向で前記複数のグリッド電極と前記補正電極との間に蛇腹状電極を介装してなる
ことを特徴とする請求項１記載の電子銃。
【請求項５】
前記電圧供給手段は、陰極線管のアノード端子に印加されるアノード電圧よりも低い電圧を前記補正電圧として前記補正電極に供給する
ことを特徴とする請求項２記載の電子銃。
【請求項６】
前記電圧供給手段は、前記アノード電圧を分圧して前記補正電圧を生成する
ことを特徴とする請求項５記載の電子銃。
【請求項７】
カソードから放出された電子ビームを制御する制御電極と、この制御電極よりもビーム進行方向に設けられるとともに、前記制御電極を通して進行する電子ビームの左右両側に電極面が位置するように配置された補正電極とを有する電子銃と、
前記補正電極に補正電圧を供給する電圧供給手段と
を備えることを特徴とする陰極線管。
【請求項８】
前記電子銃に前記電圧供給手段を設けてなる
ことを特徴とする請求項７記載の陰極線管。
【請求項９】
前記補正電極を、陰極線管本体の内部で電子ビームの偏向中心の近傍に配置してなる
ことを特徴とする請求項７記載の陰極線管。
【請求項１０】
前記制御電極は電子銃の中心軸方向に直列に配置された複数のグリッド電極からなるとともに、前記電子銃の中心軸方向で前記複数のグリッド電極と前記補正電極との間に蛇腹状電極を介装してなる
ことを特徴とする請求項７記載の陰極線管。
【請求項１１】
前記電圧供給手段は、陰極線管のアノード端子に印加されるアノード電圧よりも低い電圧を前記補正電圧として前記補正電極に供給する
ことを特徴とする請求項７記載の陰極線管。
【請求項１２】
前記補正電圧を調整する電圧調整手段を有する
ことを特徴とする請求項７記載の陰極線管。
【請求項１３】
前記電圧供給手段は、前記補正電圧を水平偏向周期に同期して変化させる
ことを特徴とする請求項７記載の陰極線管。
【請求項１４】
前記電圧供給手段は、前記補正電圧を垂直偏向周期に同期して変化させる
ことを特徴とする請求項７記載の陰極線管。
【請求項１５】
前記電圧供給手段は、前記アノード電圧を分圧して前記補正電圧を生成する
ことを特徴とする請求項１１記載の陰極線管。
【請求項１６】
前記電子銃は、単一の電子ビームを出射するもので、
前記補正電極は、一対の補正電極からなり、
前記電圧調整手段は、前記一対の補正電極に供給される前記補正電圧を個別に調整可能である
ことを特徴とする請求項１２記載の陰極線管。
【発明の詳細な説明】
【０００１】
【発明の属する技術分野】
本発明は、電子ビームを出射する電子銃とこれを備える陰極線管に関する。
【０００２】
【従来の技術】
現在、陰極線管は、カラー又はモノクロのテレビジョン受像機、コンピュータ用ディスプレイ、投写管（プロジェクション管）、ビームインデックス管などの表示装置に広く用いられている。一般に、陰極線管では、電子銃から出射される３本又は１本の電子ビームの進行方向を上下左右に偏向することにより、画面上にカラー又は単色の画像を表示している。電子ビームの偏向には、水平偏向コイルと垂直偏向コイルを有する偏向ヨークが用いられる。この偏向ヨークで電子ビームを偏向した場合、陰極線管の蛍光面を走査する電子ビームのスポット形状は図８のようになる。
【０００３】
すなわち、画面中央部でスポット形状がほぼ真円形状となるように電子銃の電子レンズを設計すると、画面の水平軸端（Ｘ軸端）では、水平偏向磁界のピンクッション形の磁界分布と電子ビームが蛍光面に斜めに照射する影響で、電子ビームのスポットが水平方向に大きく広がった横長の楕円形状となる。また、画面の垂直軸端（Ｙ軸端）では、垂直偏向磁界がバレル形の磁界分布となる影響で、電子ビームに対して画面垂直方向に収束作用が生じ、電子ビームのスポットの核の部分は垂直方向には肥大しないが、バレル方磁界の四重極成分により水平方向には肥大した横長の楕円形状になる。また、画面のコーナー部（対角方向端）では、それらが合成されたかたちで電子ビームのスポットが斜めに傾いた楕円形状となる。その結果、画面の水平軸端、垂直軸端及びコーナー部を含む画面周辺部では、画面中央部よりも水平方向の電子ビームのスポットサイズ（以下、ビームスポット幅とも記す）が大きくなる。
【０００４】
陰極線管の画面（蛍光面）上に表示（再現）される画像は鮮明であることが望まれるが、この陰極線管では、電子ビームを画面上で垂直方向と水平方向に走査し、かつその電子ビームの電流の強弱を映像信号で変換して画像を表示しているため、蛍光面に照射される電子ビームのスポットサイズ、特に、ビームスポット幅が表示画像の解像度に大きく関わってくる。したがって、画面周辺部で電子ビームのスポット幅を縮小する試みが長年にわたって行われ、その結果、様々な提案がなされている。具体的な従来例としては、以下の（１）〜（３）に示す方法が提案されている（例えば、特許文献１及び特許文献２参照）。
【０００５】
（１）画面中央部での電子ビームのスポット形状を水平方向で縮小、垂直方向で伸張した縦長の形状とすることにより、画面左右端における電子ビームスポットの横潰れ分を、予め画面中央部での電子ビームスポット形状で補正する方法（静的四重極補正）。
【０００６】
（２）水平方向の偏向磁界に同期して、四重極の電界又は磁界により、電子ビームのスポット形状を動的に変形させる方法。例えば、画面中央部に電子ビームが位置するときには四重極の電界又は磁界をかけず、電子ビームが左右端に向かうにしたがって電子ビームのスポッット形状が徐々に縦長になるように四重極の電界又は磁界をかけて画面左右端での電子ビームスポットの横潰れを補正する方法（画面端クランプ動的四重極補正）。
【０００７】
（３）上記２つの方法（１），（２）を組み合わせて、四重極成分にて、電子ビームのスポットを画面中央部で横に潰す作用と、画面左右端で縦に潰す作用を持たせるように補正する方法（画面中間位置クランプ動的四重極補正）。
【０００８】
【特許文献１】
米国特許第４７７１２１６号明細書
【特許文献２】
米国特許第５１７０１０１号明細書
【０００９】
【発明が解決しようとする課題】
しかしながら、いずれの方法を採用した場合でも、通常用いられているテレビジョン受像機用のカラー陰極線管では、画面中央部よりも画面周辺部で電子ビームのスポット幅が大きくなり、画面全域にわたって良好な解像度を得ることができなかった。また、陰極線管の薄型化を実現するためには電子ビームの偏向角度を大きくすることが有効であるが、偏向角度を大きくしていくと、それにつれて画面周辺部でビームスポット幅が拡大するため、解像度の劣化を招いてしまう。
【００１０】
本発明は、上記課題を解決するためになされたもので、その目的とするところは、表示画像の解像度を劣化させることなく、陰極線管の薄型化を実現することにある。
【００１１】
【課題を解決するための手段】
本発明に係る電子銃は、カソードから放出された電子ビームを制御する制御電極と、この制御電極よりもビーム進行方向に設けられるとともに、制御電極を通して進行する電子ビームの左右両側に電極面が位置するように配置された補正電極とを有するものである。また、本発明に係る陰極線管は、上記構成の電子銃と補正電極に補正電圧を供給する電圧供給手段とを備えるものである。
【００１２】
上記構成の電子銃とこれを備える陰極線管においては、制御電極よりもビーム進行方向に設けられた補正電極に補正電圧を供給することにより、画面周辺部に偏向される電子ビームに対して、その偏向磁場力と逆向きの静電場力が作用するようになる。そのため、蛍光面に照射される電子ビームのスポットサイズが水平方向で縮められる。
【００１３】
【発明の実施の形態】
以下、本発明の実施の形態について図面を参照しつつ詳細に説明する。なお、本実施形態においては、陰極線管及び電子銃の中心軸方向をＺ軸方向とし、このＺ軸上で交差する直交２軸方向のうちの一方をＸ軸方向、他方をＹ軸方向とする。また、陰極線管の画面上で左右方向に平行な方向をＸ軸方向とし、陰極線管の画面上で上下方向に平行な方向をＹ軸方向とする。
【００１４】
図１は本発明の実施形態に係る陰極線管の構成例を示すＸ−Ｚ断面図である。図示した陰極線管は、例えばビームインデックス方式を採用した陰極線管（ビームインデックス管）であって、その本体部（ガラスバルブ）１がパネル部２、ファンネル部３及びネック部４により構成されている。パネル部２の内面には、赤（Ｒ），緑（Ｇ），青（Ｂ）の各色の蛍光体を所定のパターン（例えば、縦縞のストライプパターン）で配列した蛍光面５が形成されている。蛍光面５は、図示しない導電膜（例えば、アルミニウム膜）によって被覆されている。
【００１５】
一方、ネック部４には、電子ビームの出射源となる電子銃６が内装されている。この電子銃６は単一の電子ビームを出射するものである。また、ネック部４からファンネル部３に至るコーン部には、電子ビームを偏向する偏向ヨーク７が装着されている。偏向ヨーク７は、図示しない水平偏向コイルと垂直偏向コイルを備えるものである。水平偏向コイルは、電子ビームを水平（Ｘ軸）方向に偏向する水平偏向磁界を発生し、垂直偏向コイルは、電子ビームを垂直（Ｙ軸）方向に偏向する垂直偏向磁界を発生するものである。
【００１６】
この偏向ヨーク７は、電子ビームの軌道上に水平偏向磁界と垂直偏向磁界を形成し、これらの偏向磁界によって電子ビームを上下左右に偏向する。その際、水平偏向磁界は水平偏向コイルに水平偏向周期の鋸歯状波電流、即ち水平偏向電流を流すことで形成され、垂直偏向磁界は垂直偏向コイルに垂直偏向周期の鋸歯状波電流、即ち垂直偏向電流を流すことで形成される。
【００１７】
図２は本発明の実施形態で採用した電子銃の構成を示すもので、図中（Ａ）はそのＹ方向側面図、（Ｂ）は（Ａ）におけるＭ矢視図である。この電子銃６は、電子を放出するカソード（不図示）と、このカソードから放出された電子（ビーム）の量や移動速度、軌道等を制御する制御電極として、複数のグリッド電極Ｇ１，Ｇ２，Ｇ３，Ｇ４，Ｇ５を備えた構成となっている。各々のグリッド電極Ｇ１〜Ｇ５は、電子銃６の中心軸方向（Ｚ軸方向）に直列に配置され、カソードに最も近い側から順に第１グリッド電極Ｇ１、第２グリッド電極Ｇ２、第３グリッド電極Ｇ３、第４グリッド電極Ｇ４、第５グリッド電極Ｇ５となっている。
【００１８】
最終段の第５グリッド電極Ｇ５には、図示しない高圧電源からアノード端子を介してアノード電圧（高電圧）が印加される。アノード端子は、陰極線管本体１を構成するガラスに埋め込まれた状態でファンネル部３に設けられるものである。第５グリッド電極Ｇ５の外周面には、適度なバネ性と導電性を有する複数本の支持片８が溶接等によって取り付けられている。各々の支持片８の先端部は円弧状に曲げ成形され、この曲げ部分（外側の球面部）が、電子銃６を陰極線管に取り付けたときに、ネック部４内面の導電性塗布膜（カーボン膜等）に圧接するようになっている。したがって、図示しない高圧電源からアノード端子に印加されたアノード電圧は、アノード端子に電気的に接続（導通）する導電性塗布膜及び複数の支持片８を介して第５グリッド電極Ｇ５に印加される。
【００１９】
また、電子銃６の中心軸方向において、第５グリッド電極Ｇ５のビーム出射側（図の右側）には蛇腹状電極９が設けられている。蛇腹状電極９は、導電性を有する複数の連続した環状薄板を交互に折り返して形成されたものである。この蛇腹状電極９は、第５グリッド電極Ｇ５に溶接等によって接合固定されている。したがって、第５グリッド電極Ｇ５と蛇腹状電極９とは電気的に接続（導通）された状態になっている。また、蛇腹状電極９は、第５グリッド電極Ｇ５を抜けて補正電極１０に向かう電子ビームの周りを取り囲むように配置されている。
【００２０】
補正電極１０は、一対の補正電極１０Ａ，１０Ｂによって構成されている。一対の補正電極１０Ａ，１０Ｂは、上記制御電極（Ｇ１〜Ｇ５）及び蛇腹状電極９とともに、一対の絶縁支持体（ビードガラス）１１に一体的に支持されている。一対の絶縁支持体１１は所定の厚みをもって棒状に形成されたもので、電子銃６の中心軸方向に沿って互いに平行に配置されるとともに、Ｙ軸方向で互いに対向する状態に配置されている。一対の補正電極１０Ａ，１０Ｂは、Ｚ軸方向で見ると最終段の第５グリッド電極Ｇ５よりもビーム進行方向に設けられている。また、Ｚ軸方向においては、最終段の第５グリッド電極Ｇ５と一対の補正電極１０Ａ，１０Ｂとの間に蛇腹状電極９が介装された状態になっている。
【００２１】
ここで、制御電極（Ｇ１〜Ｇ５）と一対の補正電極１０Ａ，１０Ｂとの間に蛇腹状電極９を設ける理由は、次のような事情による。すなわち、制御電極（Ｇ１〜Ｇ５）と一対の補正電極１０Ａ，１０Ｂとの間を単なる空間とした場合は、補正電極１０Ａ，１０Ｂによる電圧変動を受けて陰極線管内壁の帯電状態が微妙に変化し、その影響で電子ビームの軌道が変動してしまうが、その空間に蛇腹状電極９を設けると、陰極線管内壁の帯電状態が微妙に変化しても、その影響を蛇腹状電極９のシールド作用によって回避できるためである。また、制御電極（Ｇ１〜Ｇ５）と一対の補正電極１０Ａ，１０Ｂとの間の空間を金属筒で覆った場合は、そこで偏向ヨークの偏向磁界による渦電流が発生し、その影響で偏向能率が悪化してしまうが、上記金属筒に代えて蛇腹状電極９を設けると、渦電流の発生を抑えて偏向能率の悪化を回避できるためである。
【００２２】
一対の補正電極１０Ａ，１０Ｂは、例えば、ステンレス鋼等の導電材料（金属）からなる薄い板状の電極部材であって、電子銃６の中心軸方向（図のＭ矢視方向）から見ると、各々のグリッド電極Ｇ１〜Ｇ５を通して進行する電子ビームの左右両側に電極面が位置するように配置されている。また、一対の補正電極１０Ａ，１０Ｂは、これを平面的に見ると、互いの対向距離（Ｚ軸を挟んだ水平距離）がカソードと反対側（蛍光面側）で徐々に大きくなるような裾広がり状に形成されている。陰極線管に電子銃６を取り付けた状態では、陰極線管の中心軸方向（Ｚ軸方向）において、一対の補正電極１０Ａ，１０Ｂが、陰極線管の内部で電子ビームの偏向中心Ｄｃ（図１参照）の近傍位置、さらに詳しくは偏向中心Ｄｃよりも若干蛍光面５側に変位した位置に配置される。
【００２３】
本明細書においては、「偏向中心」とは、偏向ヨーク７の偏向磁界によって電子ビームを偏向したときに、画面のコーナー部に向かって進行する電子ビームの軌道に沿う仮想直線と陰極線管の中心軸（Ｚ軸）とが交差する位置をいう。よって、一対の補正電極１０Ａ，１０Ｂが配置される偏向中心Ｄｃの近傍位置では、偏向ヨーク７による電子ビームの偏向角度及び偏向量に応じて、一対の補正電極１０Ａ，１０Ｂとその間を通る電子ビームとの相対位置が変化することになる。
【００２４】
一方、電子銃６の中心軸方向で、一対の補正電極１０Ａ，１０Ｂと反対側には、複数の導電ピン１２を有するステム１３が設けられている。複数の導電ピン１２は、カソードを加熱するヒータや、カソード、グリッド電極Ｇ１〜Ｇ５及び補正電極１０Ａ，１０Ｂを含む各種の電極部材に対して、陰極線管の外部から所定の電圧を供給するための中継ピンである。
【００２５】
また、一対の絶縁支持体１１の一方または両方には、薄いセラミック基板１４が貼り付けられている。このセラミック基板１４上には、２つの抵抗Ｒ１，Ｒ２を直列に接続してなる分電圧抵抗回路が形成されている。この分電圧抵抗回路は、各々の抵抗Ｒ１，Ｒ２を構成する酸化ルテニウム等の高抵抗材料をセラミック基板１４上に塗布し、これをガラス等の絶縁被膜で覆うことにより形成されるものである。
【００２６】
図３（Ａ）は分電圧抵抗回路の構成を示す模式図である。抵抗Ｒ１及び抵抗Ｒ２は上記図２にも示すように共通の接続点Ｔ１をもって直列に接続され、この接続点Ｔ１に補正電極１０（一対の補正電極１０Ａ，１０Ｂ）が電気的に接続されている。また、抵抗Ｒ１の一端Ｔ２は、導電ピン１２につながる導電板１５に電気的に接続され、抵抗Ｒ２の一端Ｔ３は、第５グリッド電極Ｇ５に電気的に接続されている。抵抗Ｒ１の一端Ｔ２は陰極線管本体１の外部で、例えばグランド電位のＶａ点に接続される。このように構成された分電圧抵抗回路においては、第５グリッド電極Ｇ５に印加されるアノード電圧が抵抗Ｒ１，Ｒ２によって分圧され、この分圧された電圧が補正電圧として一対の補正電極１０Ａ，１０Ｂに供給される。この分電圧抵抗回路によって一対の補正電極１０Ａ，１０Ｂに供給される補正電圧は、アノード電圧を分圧したものであるから、アノード電圧よりも低い電圧となる。
【００２７】
また、陰極線管本体１の外部で、例えば図３（Ｂ）に示すように、上記Ｖａ点とグランドとの間に可変抵抗ＶＲを接続した構成とした場合は、可変抵抗ＶＲの抵抗値の変化に応じて接続点Ｔ２での電位が変動するようになるため、補正電極１０（一対の補正電極１０Ａ，１０Ｂ）に印加する補正電圧を任意に調整することが可能となる。これにより、例えば、陰極線管本体１に電子銃６や偏向ヨーク７を取り付けるときに取付誤差（特に、偏向中心に対する補正電極１０Ａ，１０Ｂの相対的な位置ずれ）が生じた場合でも、これに合わせて、一対の補正電極１０Ａ，１０Ｂに印加される補正電圧を調整することができる。
【００２８】
さらに、補正電極１０を構成する一対の補正電極１０Ａ，１０Ｂを電気的に分離して、上記分電圧抵抗回路を一対の補正電極１０Ａ，１０Ｂごとに個別に形成するとともに、各々の分電圧抵抗回路に可変抵抗を接続することにより、一対の補正電極１０Ａ，１０Ｂに印加する補正電圧を個別に調整することが可能となる。これにより、例えば、陰極線管本体１に電子銃６を取り付けるときに取付誤差（特に、陰極線管の中心軸に対する電子銃６の中心軸ずれ）が生じた場合でも、これに合わせて、一対の補正電極１０Ａ，１０Ｂに印加される補正電圧を個別に調整することができる。
【００２９】
なお、本実施形態においては、電子銃６の絶縁支持体１１上に分電圧抵抗回路を形成したが、これ以外にも、例えば、制御電極を構成するグリッド電極（Ｇ１〜Ｇ５）の側面に分電圧抵抗回路を形成することも可能である。また、電子銃６に分電圧抵抗回路を設けなくても、陰極線管本体１の外部に別途、補正電圧供給用の電源を設け、この電源から導電ピン１２を介して一対の補正電極１０Ａ，１０Ｂに補正電圧を供給する構成としてもよい。
【００３０】
上記構成からなる陰極線管においては、電子銃６から単一の電子ビームが出射されるとともに、この電子ビームを偏向ヨーク７の偏向磁界によって上下左右（水平方向及び垂直方向）に偏向することにより、パネル部２内面の蛍光面５上で電子ビームのスポットが水平方向及び垂直方向に走査される。このとき、パネル部２内面の導電膜につながるアノード端子にはアノード電圧が印加され、一対の補正電極１０Ａ，１０Ｂには上記分電圧抵抗回路によってアノード電圧よりも低い補正電圧が印加される。
【００３１】
これにより、パネル部２内面の蛍光面を覆う導電膜の電位状態（以下、蛍光面電位とも記す）に対して、一対の補正電極１０Ａ，１０Ｂの電位がそれよりも低くなる。そのため、偏向ヨーク７の偏向磁界にしたがって電子ビームを画面周辺部に偏向した際には、そこを走査する電子ビームが補正電極１０Ａ又は１０Ｂから偏向磁場力と逆向きの電場力を受ける。この電場力は、アノード電圧と補正電圧との差（電位差）が大きくなるほど大きくなるとともに、電子ビームが補正電極１０Ａ又は１０Ｂに近づくほど大きくなる。
【００３２】
このように一対の補正電極１３Ａ，１３Ｂに補正電圧を供給（印加）して電子ビーム８に電場力を作用させることにより、例えば、図４（Ａ）に示すように、補正電極（１０Ａ，１０Ｂ）が存在しない場合は、画面周辺部で蛍光面５に照射される電子ビームＥＢのスポットＢＳの形状が横長に潰れた楕円形状になるものの、図４（Ｂ）に示すように、補正電極（１０Ａ，１０Ｂ）が存在する場合は、画面周辺部で蛍光面５に照射される電子ビームＥＢのスポットＢＳの形状が補正電極１０Ａ又は１０Ｂからの電場力によって水平方向に絞られ、これによって電子ビームＥＢのスポットサイズが水平方向で縮められる。
【００３３】
したがって、画面周辺部に向けて電子ビームを偏向した際には、蛍光面５に照射される電子ビームのスポット幅を補正電極１０Ａ，１０Ｂからの電場力によって縮小することができる。その結果、画面中央部と画面周辺部で電子ビームのスポット幅をほぼ一定に維持することが可能になる。さらに、画面中央部よりも画面周辺部で電子ビームのスポット幅を小さくすることも可能となる。
【００３４】
図５は、補正電極が無しの場合と、補正電極が有りでこれに印加される補正電圧を相対的に「高」「中」「低」と３段階に変えた場合とで、それぞれ電子ビームの走査位置を画面中心（Ｚ軸）からの距離で表したときのビームスポット幅（水平軸方向の電子ビームのスポットサイズ）の変化を示すものである。図５において、補正電極が無しの場合は、電子ビームの走査位置が画面中心から離れるにしたがってビームスポット幅が大きくなっている。また、補正電極が有りでこれに印加される補正電圧を「高」とした場合は、電子ビームの走査位置が画面中心から離れるにしたがってビームスポット幅が大きくなっているものの、その割合は補正電極が無しの場合よりも小さくなっている。
【００３５】
また、補正電極が有りでこれに印加される補正電圧を「中」とした場合は、電子ビームの走査位置が画面中心から離れてもビームスポット幅が一定のままで推移している。また、補正電極が有りでこれに印加される補正電圧を「低」とした場合は、電子ビームの走査位置が画面中心から離れるにしたがってビームスポット幅が小さくなっている。したがって、このような状況では、補正電極に印加される補正電圧を「中」に設定することにより、画面中央部と画面周辺部で電子ビームのビームスポット幅を一定に維持することが可能となる。
【００３６】
また、一対の補正電極１０Ａ，１０Ｂに補正電圧を供給する場合、上記図３に示すＶａ点に対して、例えば図示しない電圧変調手段によって図６（Ａ）に示すように水平偏向周期（１Ｈ）に同期した交流波形電圧を与えることにより、この交流波形電圧に応じて補正電圧が変化するようになる。すなわち、交流波形電圧が上昇すると、上記分電圧抵抗回路の両端（Ｔ２，Ｔ３）の電位差が小さくなるため、それに応じて補正電圧も小さくなる。また、交流波形電圧が下降すると、上記分電圧抵抗回路の両端（Ｔ２，Ｔ３）の電位差が大きくなるため、それに応じて補正電圧も大きくなる。
【００３７】
したがって、一対の補正電極１０Ａ，１０Ｂに供給される補正電圧を水平偏向周期に同期して変化させることができる。この場合、水平偏向周期の始端と終端（電子ビームが画面の左右端に存在する時点）では、交流波形電圧が最も低くなるため、一対の補正電極１０Ａ，１０Ｂに印加される補正電圧が最も高くなる。また、水平偏向周期の中間点（電子ビームが画面のＹ軸上に存在する時点）では、交流波形電圧が最も高くなるため、一対の補正電極１０Ａ，１０Ｂに印加される補正電圧が最も低くなる。このように水平偏向周期に同期して補正電圧を変化させることにより、電子ビームを水平方向に偏向したときに、各々の偏向位置で電子ビームが一対の補正電極１０Ａ，１０Ｂから受ける電場力の大きさが変化する。そのため、電子ビームのスポット幅を画面の水平方向で動的に制御することが可能となる。
【００３８】
さらに、上記Ｖａ点に対して、例えば図示しない電圧変調手段によって図６（Ｂ）に示すように垂直偏向周期（１Ｖ）に同期した交流波形電圧を与え、これによって一対の補正電極１０Ａ，１０Ｂに供給される補正電圧を垂直偏向周期に同期して変化させることにより、上記同様の原理にしたがって、電子ビームのスポット幅を画面の垂直方向で動的に制御することが可能となる。
【００３９】
図７は本発明の他の実施形態として、３本の電子ビームを出射する３ビーム型の電子銃の構成を示すもので、図中（Ａ）はその側面図、（Ｂ）は（Ａ）におけるＮ矢視図である。図示した電子銃２０は、赤、緑、青の各色に対応する３本の電子ビームＲ，Ｇ，Ｂをインライン状（水平一直線状）の配列で出射する３ビーム型電子銃ある。この電子銃２０は、３つのカソードから放出された３本の電子ビームＲ，Ｇ，Ｂを制御する制御電極（複数のグリッド電極Ｇ１〜Ｇ６）と、この制御電極よりもビーム進行方向に設けられた補正電極２１と、制御電極と補正電極２１との間に介装された蛇腹状電極２２と、これらを一体的に支持する一対の絶縁支持体（ビードガラス）２３と、複数の導電ピン２４を有するステム２５とを備えた構成となっている。
【００４０】
補正電極２１は、例えば、正面視略長方形の筒状体２６と、この筒状体２６の内部をＸ軸方向で３つの空間に仕切る２つの仕切板２７とを一体に有するものである。２つの仕切板２７は、Ｘ軸とＹ軸の交差点（Ｚ軸）からそれぞれＸ軸方向の一方と他方に等距離隔てた位置に、互いに平行な状態で対向配置されている。これにより、補正電極２１は、制御電極（Ｇ１〜Ｇ６）を通して進行する３本の電子ビームＲ，Ｇ，Ｂのいずれに対しても、各々の電子ビームＲ，Ｇ，Ｂの左右両側に電極面が位置するように設けられている。
【００４１】
また、一対の絶縁支持体２３の一方には、薄いセラミック基板２８が貼り付けられている。このセラミック基板２８上には、２つの抵抗Ｒ１１，Ｒ１２を直列に接続してなる分電圧抵抗回路が形成されている。この分電圧抵抗回路は、各々の抵抗Ｒ１１，Ｒ１２を構成する酸化ルテニウム等の高抵抗材料をセラミック基板２８上に塗布し、これをガラス等の絶縁被膜で覆うことにより形成されるものである。この分電圧抵抗回路は、図示しないアノード端子に印加されるアノード電圧を抵抗Ｒ１１，Ｒ１２で分圧し、この分圧した電圧を補正電圧として補正電極２１に供給するものである。分電圧抵抗回路を用いた補正電圧の供給原理や可変抵抗等を用いた電圧調整の原理については、先述したとおりである。
【００４２】
上記構成の電子銃（３ビーム型電子銃）２０を陰極線管に取り付けた状態では、陰極線管の中心軸方向（Ｚ軸方向）において、補正電極２１が陰極線管の内部で電子ビームの偏向中心の近傍位置、さらに詳しくは偏向中心よりも若干蛍光面側に変位した位置に配置される。これにより、実際に電子銃２１から３本の電子ビームＲ，Ｇ，Ｂを出射するとともに、各々の電子ビームＲ，Ｇ，Ｂを偏向ヨークの偏向磁界によって上下左右に偏向する場合に、分電圧抵抗回路から補正電極２１に補正電圧を供給することにより、画面周辺部に向かう各々の電子ビームＲ，Ｇ，Ｂに対して、それぞれ偏向磁場力と逆向きの電場力を作用させ、各々の電子ビームのスポットサイズを水平方向で縮めることができる。したがって、単ビーム方式の電子銃６を用いた場合と同様に、画面周辺部で各々の電子ビームＲ，Ｇ，Ｂのスポット幅を縮小することができる。
【００４３】
【発明の効果】
以上説明したように本発明によれば、制御電極よりもビーム進行方向に設けられた補正電極に補正電圧を供給することにより、陰極線管の画面（蛍光面）全域にわたって電子ビームのスポット幅を小さく抑えることができる。そのため、表示画像の解像度を劣化させることなく、陰極線管の薄型化を実現することが可能となる。
【図面の簡単な説明】
【図１】本発明の実施形態に係る陰極線管の構成例を示す断面図である。
【図２】本発明の実施形態で採用した電子銃の構成を示す図である。
【図３】電圧供給手段と電圧調整手段の構成を説明する図である。
【図４】蛍光面に照射される電子ビームの状態を比較する図である。
【図５】補正電極によるビームスポット幅の抑制効果を説明する図である。
【図６】図３のＶａ点に与えられる電圧波形を説明する図である。
【図７】本発明の他の実施形態で採用した電子銃の構成を示す図である。
【図８】陰極線管の蛍光面を走査する電子ビームのスポット形状を示す図である。
【符号の説明】
１…陰極線管本体、２…パネル部、３…ファンネル部、４…ネック部、５…蛍光面、６，２０…電子銃、７…偏向ヨーク、９…蛇腹状電極、１０，１０Ａ，１０Ｂ，２１…補正電極、Ｄｃ…偏向中心、Ｇ１〜Ｇ６…グリッド電極、Ｒ１，Ｒ２，Ｒ１１，Ｒ１２…抵抗、ＶＲ…可変抵抗
【図１】
2004273290.tif 000003
【図２】
2004273290.tif 000004
【図３】
2004273290.tif 000005
【図４】
2004273290.tif 000006
【図５】
2004273290.tif 000007
【図６】
2004273290.tif 000008
【図７】
2004273290.tif 000009
【図８】
2004273290.tif 000010